(57)【要約】【課題】本発明は、発光出力パワーに係るＡＰＣ回路のフィードバックループの安定性を維持しつつ、かつ短距離ファイバ通信接続時にも、トーン信号の送受信機能を確実に実行できる発光出力制御装置を提供する。【解決手段】ＡＰＣ回路は、発光ダイオードＬＤの発光出力を検出したフォトダイオード出力電流Ｉｐｄに基づいて、トランジスタＱ１を動作させて発光出力を制御する。トランジスタＱ３のエミッタに、光通信時のトーン信号に対する反転パルス信号を印加し、トランジスタＱ３をオン動作にすることにより、トーン信号の無変調期間のベース電流Ｉｂを生成する。ＡＰＣ回路は、発光出力の信号における無変調期間のみにおいて、フォトダイオード出力電流Ｉｐｄ及びベース電流Ｉｂに基づき発光出力を低下する制御を行い、受信側での無変調期間におけるノイズレベルを低減して、トーン信号を判別しやすくする。【選択図】　　　図１
2004064239.tif 000002
【特許請求の範囲】
【請求項１】
発光ダイオードの発光出力を検出したフォトダイオード出力電流に基づいて、該発光出力を制御する制御回路と、
前記発光出力の信号における無変調期間のみに前記フォトダイオード出力電流に微小電流を付加する電流付加回路と、を有し、
前記制御回路は、前記無変調期間において、前記フォトダイオード出力電流及び前記微小電流に基づいて前記発光出力を低下する制御を行うことを特徴とする発光出力制御装置。
【請求項２】
前記制御回路が、前記発光出力を一定に制御する自動パワーコントロール回路であることを特徴とする請求項１に記載の発光出力制御装置。
【請求項３】
前記発光出力の信号が、変調又は無変調によって生成された光通信におけるトーン信号であることを特徴とする請求項１又は２に記載の発光出力制御装置。
【請求項４】
前記微小電流は、前記トーン信号の無変調期間に応じて動作するトランジスタのベース電流であることを特徴とする請求項３に記載の発光出力制御装置。
【請求項５】
前記トランジスタのエミッタに、前記トーン信号の反転パルス信号を印加して、前記トランジスタをオン動作にすることにより、前記無変調期間の前記ベース電流を生成することを特徴とする請求項４に記載の発光出力制御装置。
【発明の詳細な説明】
【０００１】
【発明の属する技術分野】
本発明は、光リンク用トランシーバ装置などに使用される発光出力制御装置に関し、特に、光通信接続確認のためのトーン信号を安定して生成できる発光出力制御装置に関する。
【０００２】
【従来の技術】
近年、光ファイバを用いて、情報を光信号の形で送受信することが行われ、長距離、大容量の通信方式を実現している。さらには、短距離通信においても、パソコンの高速化に伴い、例えば、パソコンと他の周辺機器との接続にも、光リンクによる送受信モジュールを利用した光伝送チャネルの形成が行われている。
【０００３】
その光リンクにおいては、通常、パソコン内では電気信号で処理されているので、パソコンから他の周辺機器へ信号を伝送しようとすれば、パソコンの周辺機器へのインタフェースとして光リンク用トランシーバ装置が必要となる。
【０００４】
そこで、従来から用いられている光リンク用トランシーバ装置の概略構成を図３に示す。
【０００５】
同図に示されているように、光リンク用トランシーバ装置１は、光送信部２、発光駆動部３、受光部４及び光受信処理部５により構成される。光送信部２と受光部４とには光ケーブルが接続されており、光送信部２から光出力Ｌｏを送信し、また、受光部４が他からの光入力Ｌｉを受光する。この光出力Ｌｏと光入力Ｌｉとによって、例えば、パソコンと他の周辺機器との間で、シリアル通信が行われる。
【０００６】
光送信回路は、光送信部２と発光駆動部３からなり、光送信部２は、発光素子としてレーザダイオードＬＤと、モニタ用のフォトダイオードＰＤとを有する。レーザダイオードＬＤは、ＬＤ駆動回路３１でその発光を駆動され、光出力Ｌｏを出力する。そして、モニタ用フォトダイオードＰＤは、レーザダイオードＬＤの発光駆動状況をモニタし、光出力パワーを一定にする自動パワーコントロール（ＡＰＣ）回路３２にモニタ信号を供給する。
【０００７】
一方、光受信回路は、受光部４と光受信処理部５からなる。光入力Ｌｉが、受光部４に備えられている受光素子のフォトダイオードＰＤに入射され、光入力Ｌｉの光信号が電気信号に変換される。変換された電気信号は、増幅器ＴＩＡで増幅され、光受信処理部５に供給される。光受信処理部５には、２Ｒ回路とＳＤ回路とが備えられており、光受信信号から取り出した電気信号であるデータ出力信号Ｓｏとシグナル検出信号Ｓｓｄをパソコンに出力する。
【０００８】
なお、パソコンと他の周辺機器との間で、シリアル通信を行う場合には、パソコンに接続される他の周辺機器側にも、同様の機能を持つ光リンク用トランシーバ装置を備えておく。
【０００９】
ここで、図３に示される従来構成による光リンク用トランシーバ装置の発光動作について、図４に示したタイミングチャートを参照しながら説明する。
【００１０】
図４において、（ａ）は、ＬＤディセーブル信号Ｓｄを表している。ＬＤディセーブル信号ＳｄがＬＤ駆動回路３１に供給され、レーザダイオードＬＤの発光動作の制御を行うものであり、レーザダイオードＬＤのバイアス及び変調電流をオン・オフするものである。（ｂ）は、フォトダイオードＰＤからのモニタ信号に基づくＡＰＣ回路３２のＡＰＣ制御信号Ｓａを表し、（ｃ）は、レーザダイオードＬＤから出力される光出力Ｌｏを表している。
【００１１】
光リンク用トランシーバ装置１が、データ入力信号Ｓｉを他の周辺機器に送信するためにレーザダイオードＬＤを立ち上げ、発光駆動するときを説明する。
【００１２】
先ず、時間ｔ１において、ＬＤディセーブル信号Ｓｄをハイレベルとして、光出力のディセーブルをオフにする。このとき、ＬＤ駆動回路３１は、レーザダイオードＬＤの発光駆動を開始する。
【００１３】
しかし、発光駆動部３には、レーザダイオードＬＤの温度変動等に対応して安定し、一定の発光出力に制御するＡＰＣ回路３２が設けられている。具体的には、フォトダイオードＰＤからのモニタ信号をフィードバックし、ＡＰＣ回路３２が、ＬＤ駆動回路３１によるレーザダイオードＬＤのバイアス電流を調整している。
【００１４】
ところが、通常、レーザダイオードＬＤへのＡＰＣ回路を含むフィードバック回路が安定するまでの安定化時間が設定されている。そのため、この安定化時間の間では、レーザダイオードＬＤの発光出力も安定しないため、この光出力Ｌｏを出力しないようにしている。
【００１５】
ＬＤディセーブル信号Ｓｄがオフとなる時間ｔ１から、フィードバック回路が安定する時間ｔ２までの時間は、通常、数ｍｓ、例えば、４ｍｓ程度に設定されているので、時間ｔ２までは光出力Ｌｏは出力されない。時間ｔ２を経過すれば、光出力Ｌｏが出力され、そして、時間ｔ３に、ＬＤディセーブル信号Ｓｄがオン、つまりローレベルになると、光出力Ｌｏも出力されなくなる。
【００１６】
この様に、従来の光リンク用トランシーバ装置１において、レーザダイオードＬＤに関する発光動作をオン・オフするためのＬＤディセーブル信号Ｓｄがオフになっているにも拘わらず、レーザダイオードＬＤから光出力されず、一定パワーを有する光出力が送出されるまでには、大きなディレイが発生することとなる。
【００１７】
【発明が解決しようとする課題】
ところで、ＩＥＥＥ１３９４ｂの規格では、通信相手との通信接続確認の際に、トーン信号と呼ばれるパルス信号を通信データの送信の前に付加することを要求している。従って、ＩＥＥＥ１３９４ｂに基づく通信を行うには、ＩＥＥＥ１３９４に対応した光リンク用トランシーバ装置は、この規定を満たしたトーン信号の送信ができなければならない。
【００１８】
ここで、ＩＥＥＥ１３９４ｂの規定に従ったトーン信号は、図５（ａ）及び（ｂ）に示される構造を持っている。ＩＥＥＥ１３９４ｂの規定による光通信では、６６６μｓの期間内に、図５（ｂ）のような「１、０」を示すパルス列が含まれる複数のトーン信号Ｔ１〜Ｔ３が、通信しようとしているデータ信号Ｄの送信前に、送信されるようになっている。この「１、０」の配列自体には、信号の意味が無く、受信側の光リンク用トランシーバ装置１では、６６６μｓ幅のパルス列が４２．６７ｍｓ毎に送信されるトーン信号Ｔ１〜Ｔ３の到来によって、通信接続を確認するようになっている。そのため、送信側の光リンク用トランシーバ装置１のレーザダイオードＬＤは、通信開始時に、図５（ａ）及び（ｂ）に示されるトーン信号を光出力Ｌｏとして送出しなければならない。
【００１９】
一方、レーザダイオードＬＤを発光素子に用いた光トランシーバ装置では、前述したように、光送信部２内に実装されたフォトダイオードＰＤの出力電流をモニタリングし、ＬＤ駆動回路にフィードバックをかけるＡＰＣ回路を用いて発光パワーを一定に保つようにしている。
【００２０】
ここで、図６に、光送信部に接続される従来のＡＰＣ回路の基本構成を示した。光送信部２は、レーザダイオードＬＤとフォトダイオードＰＤで構成されている。レーザダイオードＬＤは、トランジスタＱ１の動作によって駆動され、光出力Ｌｏを送出する。フォトダイオードＰＤは、レーザダイオードＬＤの動作をモニタリングし、抵抗Ｒ２に、モニタリング電流に応じた電圧Ｖｍを発生させる。
【００２１】
増幅器ＡＭＰの非反転入力に電圧Ｖｍが入力され、そして、その反転入力には、予め設定された基準電圧Ｖｒｅｆが印加されている。ＡＰＣ回路として、増幅器ＡＭＰは、電圧Ｖｍと基準電圧Ｖｒｅｆに基づいてトランジスタＱ１を動作させ、温度に影響して光出力Ｌｏが変動しないように、レーザダイオードＬＤの発光パワーを制御している。ＡＰＣ回路中の抵抗Ｒ２の値を増やすと、レーザダイオードＬＤの発光出力パワーは低下することになる。
【００２２】
ＡＰＣ回路のフィードバックを安定させ、乱れのない出力波形を得るには、フィードバックループの時定数を大きくする必要がある。しかし、ループ時定数を大きくすると、レーザダイオードＬＤの発光ディレイが大きくなる。図４で説明したように、レーザダイオードＬＤの発光が安定してから光出力を送出するようにすると、ＩＥＥＥ１３９４ｂの規定を満たすトーン信号の各パルス幅は狭いので、トーン信号を送信ができないことになる。
【００２３】
そこで、発光パワーを一定とし、変調信号のみをＯＮ、ＯＦＦすることで、トーン信号の送信機能を実現することが提案されている。この機能を実現する構成として、図３の光リンク用トランシーバ装置１では、データ入力信号Ｓｉがデータ変調回路６を介して発光駆動部３に供給されるようにし、データ変調回路６を変調制御信号Ｓｃによって制御することにより、図５（ｂ）に示されるトーン信号パルス列を生成している。
【００２４】
そして、トーン動作モードと通常動作モードを有するＬＤディセーブル信号Ｓｄが発光駆動部３に供給されるようになっている。図５（ｃ）に示すように、トーン動作モード時には、４２．６７ｍｓ毎に信号幅６６６μｓのＬＤディセーブル信号Ｓｄ１〜Ｓｄ３が供給されて、上述した規定のトーン信号が光出力Ｌｏの信号として送出される。
【００２５】
しかし、信号を変調することによりトーン信号を生成する場合、短距離ファイバを用いて接続したときには、受信側の光リンク用トランシーバ装置へ入力される光出力パワーが大きくなると、トーン信号送信時において、該信号の無変調部分にノイズが多く重畳される結果、このノイズがトーン信号と誤認されることがある。従って、この場合には、正常なトーン信号の受信ができないという問題が発生する。
【００２６】
この様な問題に対処するため、図７に示される発光パワー制御回路が提案されている。この発光パワー制御回路では、トーン信号送信時における無変調部分のノイズを低減するため、このノイズがトーン信号のパルスと誤認されない大きさとなるように、該無変調部分のみについて、レーザダイオードＬＤの発光出力パワーを低下させるというものである。
【００２７】
ところで、無変調時のみにおいて、レーザダイオードＬＤの発光出力パワーを低下させるには、抵抗Ｒ２の値を変える必要がある。そこで、図７の発光パワー制御回路は、図６に示したＡＰＣ回路を基本としているが、さらに、抵抗Ｒ３とトランジスタＱ２の直列回路が、抵抗Ｒ２に並列に接続されている。トランジスタＱ２がオン・オフされることによって、増幅器ＡＭＰの非反転入力に接続された抵抗値を可変としている。
【００２８】
トランジスタＱ２のオン・オフの動作が、変調時と無変調時とに対応する必要があるところから、トランジスタＱ２のベースには、トーン信号パルスが供給される。無変調時には、トランジスタＱ２がオフとなるので、抵抗Ｒ３が抵抗Ｒ２に接続されなくなるので、電圧Ｖｍが高くなり、結果として、レーザダイオードＬＤの光出力パワーが低くなる。逆に、変調時には、トランジスタＱ２がオンとなって、抵抗Ｒ２と抵抗Ｒ３が並列接続されると、電圧Ｖｍが低くなるため、レーザダイオードＬＤの光出力は増大する。
【００２９】
この様に、トーン信号の送信時において、無変調時の期間のみ、レーザダイオードＬＤの光出力パワーを低下させ、トーン信号のパルスとノイズを区別し易くなるが、図７のような回路構成によると、通常動作モード時においては、トランジスタＱ２がオン状態になるため、該トランジスタのコレクタ−エミッタ間電圧Ｖｃｅの温度変化に影響されることによって、レーザダイオードＬＤの光出力パワーが変化してしまうという問題がある。
【００３０】
また、光送信部２を構成するフォトダイオードＰＤに流れる出力電流は、例えば、レーザダイオードＬＤが、１ｍＷで発光出力しているとき、約５０μＡ程度であり、微小電流である。この微小電流が、トランジスタＱ２のコレクタ電流Ｉｃとして流れることになる。
【００３１】
ところが、実際のトランジスタのコレクタ電流Ｉｃは、ｍＡオーダの大きさであり、フォトダイオードＰＤに流れる電流は、このコレクタ電流Ｉｃに比較して少なすぎるものである。このことにより、図７の発光パワー制御回路の構成にして、レーザダイオードＬＤの発光出力パワーを制御しようとすると、トランジスタがこの微小電流を安定して供給できないため、変調時におけるレーザダイオードＬＤの発光出力パワーを一定に制御することを難しくするという問題がある。
【００３２】
そこで、本発明は、ＡＰＣ回路のフィードバックループの安定性を維持しつつ、かつ短距離ファイバによる通信接続時においても、トーン信号の送受信機能を実現する発光出力制御装置を提供することを目的とする。
【００３３】
【課題を解決するための手段】
以上の課題を解決するため、本発明では、光リンク用トランシーバ装置などの発光出力制御装置において、発光ダイオードの発光出力を検出したフォトダイオード出力電流に基づいて、該発光出力を制御する制御回路と、前記発光出力の信号における無変調期間のみに前記フォトダイオード出力電流に微小電流を付加する電流付加回路とを備え、前記制御回路が、前記無変調期間において、前記フォトダイオード出力電流及び前記微小電流に基づいて前記発光出力を低下する制御を行うようにした。
【００３４】
そして、前記制御回路が、前記発光出力を一定に制御する自動パワーコントロール回路であり、前記発光出力の信号が、変調又は無変調によって生成された光通信におけるトーン信号であり、前記微小電流が、前記トーン信号の無変調期間に応じて動作するトランジスタのベース電流であることとした。
【００３５】
また、前記トランジスタのエミッタに、前記トーン信号の反転パルス信号を印加して、前記トランジスタをオン動作にすることにより、前記無変調期間の前記ベース電流を生成することとした。
【００３６】
以上のように、発光出力制御装置を構成することにより、光通信のトーン信号における無変調期間に検出されたフォトダイオード電流に微小電流が付加され、該無変調期間の発光出力パワーを低下させることができるので、発光出力パワーを一定制御するＡＰＣ回路のフィードバックループの安定性を維持しつつ、かつ短距離ファイバによって通信接続された場合においても、トーン信号の送受信機能が確実に実行されるようになる。
【００３７】
【発明の実施の形態】
次に、本発明の発光出力制御装置の実施形態について、図１及び図２を参照しながら説明する。
【００３８】
本実施形態による発光出力制御装置は、図６に示した光リンク用トランシーバ装置のＡＰＣ回路を基本とした発光パワー制御回路で構成されており、トーン信号の送信時において、無変調時の期間のみ、レーザダイオードＬＤの光出力パワーを低下させ、受信側の光リンク用トランシーバ装置でトーン信号のパルスとノイズを区別し易くすることを実現するものである。
【００３９】
トーン信号の送信時において、無変調時の期間のみ、レーザダイオードＬＤの光出力パワーを低下させることについて、提案されている図７の発光パワー制御回路によって行い得ることは、既に説明した。しかし、図７の発光パワー制御回路では、上述したように、光出力パワーにトランジスタＱ２による温度変化が影響すること、そして、トランジスタＱ２のコレクタ電流ＩｃがフォトダイオードＰＤの微小電流に対応できないことの問題があった。
【００４０】
そこで、本実施形態の発光出力制御装置では、これらの問題を解決するために、図７の発光パワー制御回路のように、トランジスタＱ２の動作によって無変調時のみ抵抗値を変更するという手段の代わりに、ＡＰＣ回路の抵抗Ｒ２に流れる電流を、無変調時のみに増加させるようにして、増幅器ＡＭＰの非反転入力に供給される電圧Ｖｍを高くするという手段を採用し、特に、トーン信号パルスに応じて動作するトランジスタの接続の仕方を工夫した。
【００４１】
図１に、本実施形態による発光パワー制御回路の構成を示した。この発光パワー制御回路は、図６のＡＰＣ回路を基本としているので、同じ部分には、同じ符号を付してある。図１に示した回路例では、ＡＰＣ回路の抵抗Ｒ２に流れる電流をトーン信号における無変調時のみ増加させる付加回路は、反転増幅器ＩＮＶ、トランジスタＱ３、抵抗Ｒ４及びＲ５を備えている。
【００４２】
ここで、この付加回路は、トランジスタＱ３のベースが、抵抗Ｒ２及び増幅器ＡＭＰの非反転入力端子に接続され、そのエミッタが、反転増幅器ＩＮＶの出力端子に接続されていることを特徴としている。なお、トランジスタＱ３には、ＰＮＰ型トランジスタが使用され、抵抗Ｒ４及びＲ５は、トランジスタＱ３の動作に対するバイアス用に接続されている。
【００４３】
反転増幅器ＩＮＶの入力には、トーン信号のトーンパルスが入力される。その出力からは、入力されたトーンパルスに対して反転したパルスが出力され、トランジスタＱ３のエミッタに供給されるようになっている。トーン信号のトーンパルスがないとき、つまり、無変調時のときには、トランジスタＱ３のエミッタにパルス電圧Ｖｐが供給されることになる。電圧Ｖｐの大きさが、電圧Ｖｍより大きくなるように設定される。
【００４４】
ここで、トランジスタＱ３のエミッタに、電圧Ｖｐが印加されると、トランジスタＱ３がオン動作状態となる。このとき、トランジスタＱ３のエミッタ−コレクタ間に、コレクタ電流Ｉｃが流れることになり、抵抗Ｒ２には、このコレクタ電流Ｉｃが流れることによるベース電流Ｉｂが供給される。ベース電流Ｉｂは、コレクタ電流Ｉｃの大きさに比較して、微小なものであり、一定電流である。結果的に、無変調時には、抵抗Ｒ２に、フォトダイオード電流Ｉｐｄにベース電流Ｉｂが付加された大きさの電流が流れることになる。
【００４５】
ここで、本実施形態の発光パワー制御回路における動作を、図２のタイムチャートを参照しながら説明する。図２において、（ａ）は、トーン信号のトーンパルスの波形を、（ｂ）は、レーザダイオードＬＤの発光出力パワーＰを、（ｃ）は、フォトダイオードＰＤに流れるフォトダイオード電流Ｉｐｄを、そして、（ｄ）は、ベース電流Ｉｂをそれぞれ表しており、トーンパルスにおける無変調時と変調時とが切り換わるタイミングｔを中心にして、部分的に示している。図では、このタイミングｔにおいて、急峻な変化で示したが、これは、説明の都合上、模式的に示したもので、実際には、この変化は、少し滑らかなものとなっている。
【００４６】
トーン信号が無変調時であるとき、つまり、トーンパルスが０レベルにあるときには、トランジスタＱ３がオン動作状態になることによって、抵抗Ｒ２に、トランジスタＱ３からベース電流Ｉｂが供給される。抵抗Ｒ２に、フォトダイオード電流Ｉｐｄｍａｘが流れているところに、このベース電流Ｉｂが付加されることになる。そこで、電圧Ｖｍが上昇することになるので、増幅器ＡＭＰは、トランジスタＱ１を制御して、レーザダイオードＬＤの発光出力パワーをＰｍａｘからＰに低下させる。
【００４７】
このとき、レーザダイオードＬＤの発光出力パワーがＰに低下することに従って、フォトダイオードＰＤに流れるフォトダイオード電流は、ＩｐｄｍａｘからＩｐｄに低減されたものとなる。つまり、トーン信号の無変調時には、ベース電流Ｉｂが付加されることにより、フォトダイオード電流としては、Ｉｐｄｍａｘからベース電流Ｉｂ分だけ低い電流Ｉｐｄが流れることになる。
【００４８】
タイミングｔにおいて、トーン信号が無変調状態から変調状態に変化すると、トランジスタＱ３がオフ状態になるので、ベース電流Ｉｂが供給されなくなる。そのため、設定された発光出力パワーＰｍａｘとなるように制御され、フォトダイオード電流は、ＩｐｄからＩｐｄｍａｘに回復する。
【００４９】
以上のように、本実施形態の発光パワー制御回路によれば、レーザダイオードＬＤの発光出力パワーを下げる手法は、フォトダイオードＰＤ電流の出力ラインに、別の付加回路から一定電流を流すことにより、ＡＰＣ回路に対して発光出力パワーが上昇したように検知させるものである。発光出力パワーの上昇を検知したＡＰＣ回路は、レーザダイオードＬＤの発光出力パワーを下げる方向に制御するため、結果的に、発光出力パワーが低下するというものである。
【００５０】
トーン信号の送信時において、無変調部分のみの発光出力パワーを下げることにより、例えば、パソコンと周辺機器とが短距離ファイバによって接続されている時にも、安定したトーン信号の送受信機能を確保することができる。
【００５１】
また、本実施形態の発光パワー制御回路の付加回路は、トーン信号の送受信時のみに必要なものであり、この回路を付加したことによって、通常信号の送受信時に影響を及ぼしてはならない。従来の発光パワー制御回路のように、レーザダイオードＬＤに係る発光出力パワーの設定値を変えて、発光出力パワーを下げる回路による場合には、通常動作時に、トランジスタの動作がオンになるため、このトランジスタ自体の温度特性による影響を与えてしまうが、本実施形態の発光パワー制御回路では、通常動作時には、トランジスタの動作がオフとなるため、影響を及ぼすことがない。
【００５２】
さらに、従来の発光パワー制御回路では、上述したように、レーザダイオードＬＤの発光出力パワーが１ｍＷであるとき、フォトダイオードＰＤの出力電流は５０μＡと微小電流であり、この微小電流として、トランジスタのコレクタ電流ＩｃをフォトダイオードＰＤの電流出力ラインに流す手法を採ると、通常、コレクタ電流Ｉｃに流す電流値（数ｍＡ）に比べて、微小電流の大きさが少なすぎるため、安定した電流を供給できないものであった。これに対して、本実施形態の発光パワー制御回路における付加回路では、トーン信号の無変調時にオンとなるトランジスタには、数ｍＡの大きさのコレクタ電流Ｉｃが流れるものの、フォトダイオードＰＤの電流出力ラインには、元々微小電流であるトランジスタのベース電流Ｉｂを付加して流す手法を用いたので、安定した電流の供給を実現した。
【００５３】
【発明の効果】
したがって、本発明の光リンク用トランシーバ装置の発光出力制御装置によれば、トーン信号の無変調時のみの期間において、フォトダイオードの電流出力ラインに微小電流を付加するようにしたので、発光出力制御装置におけるＡＰＣ回路のフィードバックループの安定性を維持しつつ、かつ複数の光リンク用トランシーバ装置間を短距離ファイバで接続した時でも、受信側において、ノイズが低減されることにより、トーン信号の判別がしやすくなり、トーン信号の送受信が確実に行われるようになる。
【図面の簡単な説明】
【図１】本実施形態による光リンクトランシーバ装置の発光パワー制御回路の構成を示
す図である。
【図２】本実施形態の発光パワー制御回路における動作を説明する図である。
【図３】従来の光リンク用トランシーバ装置の概略ブロック構成を説明する図である。
【図４】従来の光リンク用トランシーバ装置における発光動作のタイミングチャートを
示す図である。
【図５】光リンク用トランシーバ装置におけるトーン信号の生成について説明する図で
ある。
【図６】光送信部に接続される従来のＡＰＣ回路の基本構成を説明する図である。
【図７】図６のＡＰＣ回路に発光パワー制御回路を接続した従来の光送信部の回路構成
を説明する図である。
【符号の説明】
１…光リンク用トランシーバ装置
２…光送信部
３…発光駆動部
３１…ＬＤ駆動回路
３２…ＡＰＣ回路
４…受光部
５…光受信処理部
６…データ変調回路
ＡＭＰ…増幅器
ＩＮＶ…反転増幅器
ＰＤ…フォトダイオード
ＬＤ…レーザダイオード
Ｑ１〜Ｑ３…トランジスタ
【図１】
2004064239.tif 000003
【図２】
2004064239.tif 000004
【図３】
2004064239.tif 000005
【図４】
2004064239.tif 000006
【図５】
2004064239.tif 000007
【図６】
2004064239.tif 000008
【図７】
2004064239.tif 000009